(57)【特許請求の範囲】
【請求項１】
第１光ビームを出射する第１出射手段と、
第２光ビームを出射する第２出射手段と、
前記第１光ビーム及び前記第２光ビームを、それぞれ被走査面上の異なる位置で往復走査する振動ミラーと、
前記第１出射手段及び前記第２出射手段を、
前記被走査面上の印刷領域内において、前記振動ミラーによる往路途中でオンからオフにし、前記振動ミラーによる復路途中でオンからオフにして、
或いは、
前記印刷領域内において、前記振動ミラーによる往路途中でオフからオンにし、前記振動ミラーによる復路途中でオフからオンにして、
互いに走査方向が異なる前記第１光ビームによる走査と前記第２光ビームによる走査とによって一走査ラインの一部または全部を前記被走査面上に形成させる制御手段と、を備える光走査装置。
【請求項２】
請求項１に記載の光走査装置であって、
前記制御手段は、前記被走査面上において副走査方向の中央位置を境に一方側では前記第１光ビームによる往路方向の走査と前記第２光ビームによる往路方向の走査とを前記一走査ライン毎に交互に実行させ、他方側では前記第１光ビームによる復路方向の走査と前記第２光ビームによる復路方向の走査とを前記一走査ライン毎に交互に実行させる構成である、光走査装置。
【請求項３】
請求項１または請求項２に記載の光走査装置であって、
前記一走査ラインにおいて前記一方の光ビームによる走査と前記他方の光ビームによる走査との継ぎ目箇所が、少なくとも隣り合う走査ライン同士で主走査方向において互いに異なる、光走査装置。
【請求項４】
請求項１から請求項３のいずれか一項に記載の光走査装置であって、
前記振動ミラーと前記被走査面との間の光路中に設けられ、前記第１光ビームおよび前記第２光ビームによる像の主走査方向の中央部を両端部よりも、前記被走査面の移動方向とは逆方向に大きく変位させる光学系を備える、光走査装置。
【請求項５】
請求項１から請求項４のいずれか一項に記載の光走査装置であって、
画質優先モードと速度優先モードとを設定する設定手段が設けられ、
前記制御手段は、前記画質優先モードが設定された場合には、前記互いに走査方向が異なる前記第１光ビーム及び前記第２光ビームによる走査によって前記被走査面上に一走査ラインの一部または全部を形成させる第１制御を実行し、前記速度優先モードが設定された場合には、前記第１光ビーム及び前記第２光ビームそれぞれの走査によって別々の走査ラインを同時に形成する第２制御を実行する構成である、光走査装置。
【請求項６】
感光体、及び、前記感光体を露光する請求項１から請求項５のいずれか一項に記載の光走査装置を有し、露光された前記感光体に画像を形成し、その画像を印刷媒体に転写する印刷部を備える印刷装置。
【発明の詳細な説明】
【技術分野】
【０００１】
本発明は、振動ミラーを備えた光走査装置に関する。
【背景技術】
【０００２】
例えばレーザプリンタに設けられる光走査装置の中には、モータによって回転駆動されるポリゴンミラーを利用するものの他に、振動ミラー（マイクロミラー）を利用するものがある。これは、振動ミラーを静電力によって振動駆動させ、光源からのレーザ光を振動ミラーによって偏向して感光体上で往復走査するものである。図１１は、従来の光走査装置における振動ミラーの回動角とレーザ光の感光体上での走査軌跡との関係を示した図である。このようなレーザ光走査における両端部分（図中の破線部分）を除いた中央部分（図中の実線部分）が、実際に画像が形成される印刷領域である。同図から分かるように、振動ミラーを使ってレーザ光を感光体上で往復走査する構成では、副走査方向に隣り合う主走査ラインＲ端間の距離（ｄ１，ｄ２）が異なる。このため、走査歪みが生じ得る。
【０００３】
そこで、特許文献１には、２つのレーザ光を振動ミラーによって感光体上の異なる位置で往復走査する構成とし、一方のレーザ光による往路方向（あるいは副走査方向）の走査ラインと、他方のレーザ光による往路方向の走査ラインとを組み合わせて感光体上に一走査ラインを形成させるようにしている。
【特許文献１】特開２００５−３３８５１２公報
【発明の開示】
【発明が解決しようとする課題】
【０００４】
しかし、上記特許文献１の構成では、同方向に向かう２つのレーザ光の走査ラインを利用して感光体上の一走査ラインを形成するから、結局、主走査ラインの両端部分での主走査ライン端間の距離差は変わらない。このため、例えば、感光体を同一密度（同一の画像形成濃度）で露光したいにも関わらず、上記距離差が小さい部分と大きい部分とで濃度差が生じてしまうなど、露光品質の低下を招くという問題があった。
本発明は上記のような事情に基づいて完成されたものであって、その目的は、露光品質の低下を抑制することが可能な光走査装置及び印刷装置を提供するところにある。
【課題を解決するための手段】
【０００５】
上記の目的を達成するための手段として、第１の発明に係る光走査装置は、第１光ビームを出射する第１出射手段と、第２光ビームを出射する第２出射手段と、前記第１光ビーム及び前記第２光ビームを、それぞれ被走査面上の異なる位置で往復走査する振動ミラーと、前記第１出射手段及び前記第２出射手段を、前記被走査面上の印刷領域内において、前記振動ミラーによる往路途中でオンからオフにし、前記振動ミラーによる復路途中でオンからオフにして、或いは、前記印刷領域内において、前記振動ミラーによる往路途中でオフからオンにし、前記振動ミラーによる復路途中でオフからオンにして、互いに走査方向が異なる前記第１光ビームによる走査と前記第２光ビームによる走査とによって一走査ラインの一部または全部を前記被走査面上に形成させる制御手段と、を備える。
本発明によれば、被走査面上の印刷領域内において、振動ミラーによる往路途中でオンからオフにし、振動ミラーによる復路途中でオンからオフにして、或いは、印刷領域内において、振動ミラーによる往路途中でオフからオンにし、振動ミラーによる復路途中でオフからオンにして、互いに走査方向が異なる第１光ビームによる走査と第２光ビームによる走査とによって一走査ラインの一部または全部を被走査面上に形成する構成である。これにより、同じ走査方向の光ビームの走査同士によって一走査ラインを形成する従来の構成に比べて走査ライン同士の間隔誤差を抑えることができ、露光品質の低下を抑制することができる。
【０００６】
第２の発明は、第１の発明の光走査装置であって、前記制御手段は、前記被走査面上において副走査方向の中央位置を境に一方側では前記第１光ビームによる往路方向の走査と前記第２光ビームによる往路方向の走査とを前記一走査ライン毎に交互に実行させ、他方側では前記第１光ビームによる復路方向の走査と前記第２光ビームによる復路方向の走査とを前記一走査ライン毎に交互に実行させる構成である。
本発明によれば、制御手段は第１出射手段及び第２出射手段に対する所定のオンオフパターンを繰り返し実行すればよく、制御内容を比較的に簡単にすることができる。
【０００７】
第３の発明は、第１または第２の発明の光走査装置であって、前記一走査ラインにおいて前記一方の光ビームによる走査と前記他方の光ビームによる走査との継ぎ目箇所が、少なくとも隣り合う走査ライン同士で主走査方向において互いに異なる。
本発明によれば、一走査ラインにおいて一方の光ビームによる走査と他方の光ビームによる走査との継ぎ目箇所が、少なくとも隣り合う走査ライン同士で互いに異なる。従って、その継ぎ目個所が隣り合う走査ライン同士で同じである場合に比べて、画像全体における継ぎ目個所の影響を抑制できる。
【０００８】
第４の発明は、第１から第３のいずれか一つの発明の光走査装置であって、前記振動ミラーと前記被走査面との間の光路中に設けられ、前記第１光ビームおよび前記第２光ビームによる像の主走査方向の中央部を両端部よりも、前記被走査面の移動方向とは逆方向に大きく変位させる光学系を備える。
互いに走査方向が異なる光ビーム同士で走査ラインを形成する場合には、その走査ラインは、継ぎ目部分が被走査面の移動方向に突出した円弧状の形状（いわゆるボウ）となる。これに対して、本発明によれば、光学系によって第１光ビームおよび第２光ビームによる像の主走査方向の中央部を両端部よりも、被走査面の移動方向とは逆方向に大きく変位させる。従って、上記円弧状の形状による影響を抑制できる。
【０００９】
第５の発明は、第１から第４のいずれか一つの発明の光走査装置であって、画質優先モードと速度優先モードとを設定する設定手段が設けられ、前記制御手段は、前記画質優先モードが設定された場合には、互いに走査方向が異なる前記第１光ビーム及び前記第２光ビームによる走査によって前記被走査面上に一走査ラインの一部または全部を形成させる第１制御を実行し、前記速度優先モードが設定された場合には、前記第１光ビーム及び前記第２光ビームそれぞれの走査によって別々の走査ラインを同時に形成する第２制御を実行する構成である。
本発明によれば、高品質で露光したい場合には画質優先モードを設定すれば、第１制御の実行により走査歪みを抑制した露光を行うことができ、高速露光を優先したい場合には速度優先モードを設定すれば、第２制御によって同時に複数本の走査ラインを形成する高速露光を行うことができる。
第６の発明に係る印刷装置は、感光体、及び、前記感光体を露光する請求項１から請求項５のいずれか一項に記載の光走査装置を有し、露光された前記感光体に画像を形成し、その画像を印刷媒体に転写する印刷部を備える。
【発明の効果】
【００１０】
本発明によれば、同じ走査方向の光ビームの走査同士によって一走査ラインを形成する従来の構成に比べて走査ライン同士の間隔誤差を抑えることができ、露光品質の低下を抑制することができる。
【発明を実施するための最良の形態】
【００１１】
＜実施形態１＞
本発明の実施形態１を図１〜図６を参照しつつ説明する。
（レーザプリンタの全体構成）
図１は、レーザプリンタ（印刷装置の一例）１の要部側断面図である。レーザプリンタ１は、本体フレーム２内に、用紙３（印刷媒体の一例）を給紙するためのフィーダ部４や、そのフィーダ部４により給紙された用紙３に画像を形成するための印刷部５などを備えている。
【００１２】
１．フィーダ部
フィーダ部４は、給紙トレイ６と、押圧板７と、給紙ローラ８および分離パッド９と、紙粉取りローラ１０，１１と、レジストレーションローラ１２とを備えている。分離パッド９はばね１３によって給紙ローラ８に押圧されている。なお、以下、図１で紙面右側をレーザプリンタ１の前側、図１で紙面左側をレーザプリンタ１の後側として説明する。
【００１３】
押圧板７は、その後端部を中心に回転可能とされるとともに、その前端部側が図示しないばねによって上方向に付勢されている。これにより押圧板７上の最上位にある用紙３が給紙ローラ８に向かって押圧されている。そして、押圧板７上の用紙３は、その給紙ローラ８の回転によって給紙ローラ８と分離パッド９とで挟まれた後、１枚毎に給紙される。
【００１４】
給紙された用紙３は、紙粉取りローラ１０，１１によって、紙粉が取り除かれた後、レジストレーションローラ１２に送られる。レジストレーションローラ１２は、用紙３をレジスト後に転写位置に送る。なお、この転写位置は、用紙３に感光ドラム２７上のトナー像を転写する位置であって、感光ドラム２７（感光体の一例）と転写ローラ３０（転写手段の一例）との接触位置とされる。
【００１５】
２．印刷部
印刷部５は、スキャナ部１６、プロセスカートリッジ１７および定着部１８を備えている。
【００１６】
図２は、スキャナ部１６（光走査装置の一例）の構成を示した模式図である。光源部２０は画像信号に基づきオンオフ動作する。光源部２０から出射されたレーザ光（光ビームの一例）Ｌは、図２中鎖線で示すように、振動ミラー１９によって偏向される。ここで偏向されたレーザ光Ｌは、光学系２１を通過することにより感光ドラム２７の表面に結像し、感光ドラム２７表面上の印刷領域Ｅ内に静電潜像を形成する。光学系２１は、例えば、振動ミラー１９によって偏向されたレーザ光Ｌを、感光ドラム２７の表面に結像し、かつ感光ドラム２７の表面上を等速で走査するアークサインレンズである。また、スキャナ部１６には、上記光学系２１を通過したレーザ光Ｌを所定の位置で検出するＢＤセンサ２２（光学センサの一例）が設けられている。具体的には、上記光学系２１を通過したレーザ光Ｌが、反射ミラー２３を介してＢＤセンサ２２に入光されるように構成されている。
【００１７】
ＢＤセンサ２２でのレーザ光Ｌの検出タイミングは、上記印刷領域Ｅ内にレーザ光Ｌを照射する開始タイミングを計るために利用される。加えて、振動ミラーの周期や振り幅の制御にも用いられる。なお、光源部２０及び振動ミラー１９の詳細は後で説明する。
【００１８】
プロセスカートリッジ１７は、現像ローラ３１、層厚規制ブレード３２、供給ローラ３３、トナーホッパ３４を備えている。トナーホッパ３４内のトナーは、アジテータ３６により攪拌されて、トナー供給口３７から放出される。なお、現像ローラ３１には、現像時に図示しない印加回路により現像バイアス電圧が印加される。
【００１９】
トナー供給口３７から放出されるトナーは、供給ローラ３３の回転により、現像ローラ３１に供給され、供給ローラ３３と現像ローラ３１との間で正に摩擦帯電される。さらに、現像ローラ３１上に供給されたトナーは、層厚規制ブレード３２により、薄層として現像ローラ３１上に担持される。
【００２０】
また、プロセスカートリッジ１７は、更に、感光ドラム２７、スコロトロン型の帯電器２９、転写ローラ３０およびクリーニングブラシ５３を備えている。感光ドラム２７の表面（被走査面の一例）は、帯電器２９により正帯電された後、スキャナ部１６からのレーザ光Ｌにより露光され、静電潜像が形成される。
【００２１】
次いで、現像ローラ３１の表面上に担持されるトナーが、感光ドラム２７上に形成された静電潜像に供給され現像される。転写ローラ３０には、転写動作時には、図示しない印加回路により転写用バイアス電圧が印加される。クリーニングブラシ５３は、クリーニングバイアス電圧が印加され、感光ドラム２７に付着する紙粉を電気的に吸引して除去する。
【００２２】
定着部１８は、用紙３が加熱ローラ４１と押圧ローラ４２との間を通過する間に、その用紙３上のトナーを熱定着させ、その後、搬送ローラ４３によって、排紙パス４４に搬送するようにしている。排紙パス４４に送られた用紙３は、排紙ローラ４５によって排紙トレイ４６上に排紙される。
【００２３】
（振動ミラー及び半導体レーザ）
１．振動ミラー
図３は振動ミラー１９の全体図である。振動ミラー１９は、ミラー振動子６０と、１対の電極（以下、「可動電極６１，固定電極６２」という。）とを備えて構成されている。ミラー振動子６０は、フレーム部６４内に、例えば円形状のミラー部６３が配置され、このミラー部６３から突出した１対の支持軸部６５がフレーム部６４に連結された構造になっている。なお、ミラー振動子６０は例えば１枚の半導体基板（例えばシリコンウエハ）に、エッチングや成膜などのマイクロマシニング技術による加工を施して形成される。
【００２４】
上記各支持軸部６５には、櫛状に突出した可動電極６１が設けられている。この可動電極６１は、支持軸部６５に導電材料を蒸着して形成されたものである。一方、フレーム部６４側にも、櫛状に突出した固定電極６２が設けられている。この固定電極６２は、フレーム部６４に導電材料を蒸着して形成されたものである。可動電極６１と固定電極６２との櫛先同士は所定の間隔を隔てて噛合うように互い違いに配置されている。
【００２５】
振動制御部６６は、可動電極６１と固定電極６２との間にパルス状の駆動信号Ｓ１（電圧信号）を与える。具体的には、可動電極６１に上記駆動信号Ｓ１を与える一方で、固定電極６２が接地されている。これにより、振動ミラー１９のミラー部６３は、可動電極６１と固定電極６２との間に周期的に生じる静電力（引力または斥力）と、その静電力によってねじれ変形した支持軸部６５の復元力とによって振動する。なお、振動制御部６６は、ＢＤセンサ２２でのレーザ光Ｌの検出タイミングの時間間隔に基づき、振動ミラー１９の振動周期、振幅がそれぞれ所定の一定値になるようにフィードバック制御をしている。
【００２６】
２．光源部
図４は光源部２０からのレーザ光の光路を示す簡略図である。なお、同図中の符号７３は反射ミラー（図２では省略）であり、これは振動ミラー１９から光学系２１を通過したレーザ光Ｌを反射して感光ドラム２７上に導く役割を果たす。また、レーザ制御部６７は光源部２０をオンオフ制御する。更に、操作部６８（設定手段の一例）はユーザの操作によって「画質優先モード」と「速度優先モード」との間で設定を切り替える役割を果たす。
【００２７】
上記光源部２０は、第１光源部７０（第１出射手段の一例）と第２光源部７１（第２出射手段の一例）を備える。第１光源部７０及び第２光源部７１は、それぞれレーザダイオードとカップリングレンズより構成され、振動ミラー１９の振動回転軸方向（図２の紙面奥行き方向）に沿って並んで設けられている。なお、光源部としては、２つの発光点を有するレーザアレイを用いてもよい。この場合は、発光点がそれぞれ第１出射手段、第２出射手段の一例である。
【００２８】
このような構成により、光源部７０及び光源部７１を同時期にオンした場合、図４に示すように感光ドラム２７の表面上での第１レーザ光Ｌ１及び第２レーザ光Ｌ２の照射点Ｐ１、Ｐ２は、主走査方向（感光ドラム２７の回転軸方向）で略一致し、且つ、副走査方向（感光ドラム２７の回転方向）で所定距離Ｍだけずれている。
【００２９】
３．レーザ制御部による制御
レーザ制御部６７（制御手段の一例）は、光源部７０及び光源部７１をオンオフ制御して、互いに走査方向が異なる第１レーザ光Ｌ１による走査と第２レーザ光Ｌ２による走査とによって一走査ラインを感光ドラム２７上に形成させる。換言すれば、第１レーザ光Ｌ１及び第２レーザ光Ｌ２のいずれか一方のレーザ光による往路方向の走査と、他方のレーザ光による復路方向の走査とによって一走査ラインを感光ドラム２７上に形成させる。
【００３０】
以下、具体的に説明する。図５は振動ミラーの回動角とレーザ光Ｌ（Ｌ１、Ｌ２）の走査軌跡との関係を示した図である。なお、図５の１点鎖線及び２点鎖線は、仮に、光源部７０及び光源部７１を共に常時オンしたまま振動ミラー１９を振動させたときの各レーザ光Ｌ１、Ｌ２の走査軌跡である。また、黒塗り実線は、光源部７０をオンして第１レーザ光Ｌ１による走査（露光）を実際に行っているときの奇跡である。白抜き実線は、光源部７１をオンして第２レーザ光Ｌ２による走査（露光）を実際に行っているときの奇跡である。
【００３１】
光源部７０及び光源部７１をオンして振動ミラー１９を振動させると、図５に示すように、各レーザ光Ｌ１、Ｌ２による走査の軌跡は、往路（紙面左から右へ向かう軌跡）では主走査方向に対して紙面右下がりに傾斜し、復路（紙面右から左へ向かう軌跡）では主走査方向に対して紙面左下がりに傾斜する。なお、本実施形態では、上記所定距離Ｍ（レーザ光Ｌ１、Ｌ２の副走査方向におけるずれ量）は、振動ミラー１９の振動動作の１周期の間に各レーザ光Ｌ１（Ｌ２）が移動する副走査方向の移動距離の約半分の距離に設定されている。
【００３２】
（１）画質優先モード
レーザ制御部６７は、振動制御部６６から振動ミラー１９の振動に同期した同期信号を受ける。そして、上記「画質優先モード」に設定されている場合にはレーザ制御部６７は次の第１制御を実行する。感光ドラム２７への露光開始時に、まず、復路前半の移動期間で光源部７１のみをオンし、復路後半の移動期間では光源部７０及び光源部７１共にオフする。これにより感光ドラム２７上に第２レーザ光Ｌ２による走査Ｙ１がされる。
【００３３】
次に、往路前半の移動期間で光源部７０及び光源部７１をオンし、往路後半の移動期間では光源部７０及び光源部７１共にオフする。これにより感光ドラム２７上に第１レーザ光Ｌ１による走査Ｘ２及び第２レーザ光Ｌ２による走査Ｙ２がされる。続いて、復路前半の移動期間で光源部７０及び光源部７１をオンし、復路後半の移動期間では光源部７０及び光源部７１共にオフする。これにより感光ドラム２７上に第１レーザ光Ｌ１による走査Ｘ３及び第２レーザ光Ｌ２による走査Ｙ３がされる。以下同様にして、走査Ｘ４、Ｙ４、Ｘ５．．．が順次なされる。
【００３４】
以上の第１制御により、図５に示すように、感光ドラム２７上には複数の走査ラインＲ（同図で黒塗り実線と白抜き実線とが連なって形成されたライン）が形成される。各走査ラインＲは第１レーザ光Ｌ１による走査と第２レーザ光Ｌ２による走査とによって形成され、且つ、それらの第１レーザ光Ｌ１による走査と第２レーザ光Ｌ２による走査とは走査方向が往路方向と復路方向とで互いに逆になる。このようにして形成された複数の走査ラインＲは、副走査方向で隣合う各走査ラインＲ同士の間隔が、主走査方向の全長に亘って均等である。従って、レーザ光Ｌ１、Ｌ２によるスポット（ドット）を、印刷領域Ｅ内において主走査方向の全長に亘って均一の密度に形成することができる。
【００３５】
（２）速度優先モード
レーザ制御部６７は、上記「速度優先モード」に設定されている場合には次の第２制御を実行する。図６は速度優先モード時における振動ミラーの回動角とレーザ光Ｌ（Ｌ１、Ｌ２）の走査軌跡との関係を示した図である。速度優先モードでは、各走査ラインＲを、第１レーザ光Ｌ１による走査及び第２レーザ光Ｌ２による走査のいずれか一方だけで形成する。しかも、第１レーザ光Ｌ１による走査及び第２レーザ光Ｌ２による走査で２本の走査ラインＲを同時に形成する。具体的には、図６で上から１本目と３本目の走査ラインＲを、第１レーザ光Ｌ１による走査Ｘ１'及び第２レーザ光Ｌ２による走査Ｙ１'によって同時に形成し、次に、２本目と４本目の走査ラインＲを、第１レーザ光Ｌ１による走査Ｘ２'及び第２レーザ光Ｌ２による走査Ｙ２'によって同時に形成していく。
【００３６】
ここで、速度優先モードで形成された複数の走査ラインＲは、副走査方向で隣合う各走査ラインＲ同士の間隔が、主走査方向の全長に亘って均等ではない。従って、上記画質優先モードに比べて主走査方向の左右方向で濃度差が生じ得る。しかし、速度優先モードでは、一走査ラインＲを第１レーザ光Ｌ１による走査及び第２レーザ光Ｌ２による走査のいずれか一方だけで形成し、且つ、２本の走査ラインＲを同時に形成するから、これに伴って感光ドラム２７の回転速度及び用紙３の搬送速度を画質優先モード時に比べて速くすることができる。
【００３７】
（本実施形態の効果）
１．本実施形態によれば、互いに走査方向が異なる第１レーザ光ｌ１による走査（Ｘ１，Ｘ２．．．）と第２レーザ光Ｌ２による走査（Ｙ１，Ｙ２．．．）とによって一走査ラインＲを感光ドラム２７上に形成する構成である。これにより、同じ走査方向の光ビームの走査同士によって一走査ラインを形成する従来の構成に比べて走査ライン同士の間隔誤差を抑えることができ、露光品質の低下を抑制することができる。
【００３８】
２．上記実施形態では、図５に示す走査を実現するために、レーザ制御部６７は、感光ドラム２７の副走査方向の中央位置Ｏを境に一方側（図５で紙面左側）では第１レーザ光Ｌ１による往路方向の走査と第２レーザ光Ｌ２による往路方向の走査とを一走査ラインＲ毎に交互に実行させる。また、他方側（図５で紙面右側）では第１レーザ光Ｌ１による復路方向の走査と第２レーザ光Ｌ２による復路方向の走査とを一走査ラインＲ毎に交互に実行させる。このような制御であれば、レーザ制御部６７は光源部７０及び光源部７１に対し所定のオンオフパターンを繰り返し実行すればよく、制御内容を比較的に簡単にすることができる。
【００３９】
３．更に、高品質で露光したい場合には画質優先モードを設定すれば、第１制御の実行により走査歪みを抑制した露光を行うことができ、高速露光を優先したい場合には速度優先モードを設定すれば、第２制御によって同時に複数本（本実施形態では２本）の走査ラインＲを形成する高速露光を行うことができる。
【００４０】
＜実施形態２＞
図７は実施形態２を示す。前記実施形態との相違は、第１制御の内容にあり、その他の点は前記実施形態１と同様である。従って、実施形態１と同一符号を付して重複する説明を省略し、異なるところのみを次に説明する。
【００４１】
上記実施形態１の図５では、各走査ラインＲは上記継ぎ目の箇所で折れ曲がっている。しかも、全ての走査ラインＲの継ぎ目箇所が印刷領域の中央位置Ｏ上で揃っているため、中央位置Ｏ付近の走査ラインＲの歪みが画像全体での画質に影響を与えるおそれがある。
【００４２】
これに対して、本実施形態の第１制御では、図７に示すように第１レーザ光ｌ１による走査（Ｘ１，Ｘ２．．．）と第２レーザ光Ｌ２による走査（Ｙ１，Ｙ２．．．）との継ぎ目の箇所（Ａ１，Ａ２，Ａ３．．．）が各走査ラインＲ毎に異なる。レーザ制御部６７は例えば各走査ラインＲの継ぎ目箇所を乱数によってばらつかせている。この構成によれば、継ぎ目個所が隣り合う走査ラインＲ同士で同じである場合に比べて、画像全体における継ぎ目個所の影響を抑制することができる。
【００４３】
＜実施形態３＞
図８，９は実施形態３を示す。前記実施形態との相違は、光学系２１の配置姿勢及びそれに伴うレーザ光Ｌの走査軌跡にあり、その他の点は前記実施形態１と同様である。従って、実施形態１と同一符号を付して重複する説明を省略し、異なるところのみを次に説明する。
【００４４】
上記実施形態１，２では、各走査ラインＲは上記継ぎ目の箇所で折れ曲がっており、弓状の歪み（いわゆるボウ）が生じている。これに対して、本実施形態では上記光学系２１を傾けて弓状の歪みを相殺するようにしている。具体的には、図８に示すように、光学系２１は所定の入射角度で入射したレーザ光は、歪みなく走査ラインを被走査面上に形成させることができる（同図の１点鎖線参照）。一方で、レーザ光の入射角度を変えると、被走査面上の走査ラインには中央部分が一方向に膨らんだ弓状の歪みが生じる（同図の実線参照）。この原理を利用して、第１レーザ光Ｌ１および第２レーザ光Ｌ２による感光ドラム２７上の走査ラインＲを、その主走査方向の中央部分が両端部分よりも感光ドラム２７の回転方向（移動方向）とは逆方向において大きく変位させる配置姿勢で光学系２１が設けられている。これにより、図９に示すように、光学系２１による弓状の歪みによって図５，７に見られた弓状の歪みを相殺することで、各走査ラインＲを主走査方向に直線状に沿わせることができる。
【００４５】
＜他の実施形態＞
本発明は上記記述及び図面によって説明した実施形態に限定されるものではなく、例えば次のような実施形態も本発明の技術的範囲に含まれる。
（１）「光走査装置」には、上記実施形態のようにレーザプリンタ１に備えられるスキャナ部１６以外に、例えばレーザ走査型のディスプレイ装置、プロジェクタ及びスキャナ（画像読取装置）などに備えられるものであってもよい。
【００４６】
（２）上記実施形態では、一走査ラインＲを第１レーザ光Ｌ１及び第２レーザ光Ｌ２の２つのレーザ光による走査で形成する構成としたが、これに限らず、一走査ラインＲを３つ以上のレーザ光Ｌによる走査で形成するようにしてもよい。例えば光源部に４つの発光素子を所定間隔ずつ隔てて配置し、それらの発光素子から４つのレーザ光を平行に出射可能に構成する。そして、これらの発光素子をオンオフ制御することで、一走査ラインＲを４つのレーザ光の走査（Ｘ、Ｙ、Ｚ、Ｗ）によって形成する（図１０参照）。
【００４７】
（３）上記実施形態３では、光学系２１を傾けることで弓状の歪みを相殺する構成としたが、光学系２１とは別の光学系をレーザ光の光路上に挿入して上記弓状の歪みを相殺する構成であってもよい。
【図面の簡単な説明】
【００４８】
【図１】本発明の一実施形態に係るレーザプリンタの要部側断面図
【図２】スキャナ部の構成を示した模式図
【図３】振動ミラーの全体図
【図４】第１レーザ光及び第２レーザ光の光路を示す斜視図
【図５】振動ミラーの回動角とレーザ光の走査軌跡との関係を示した図（画質優先モード）
【図６】振動ミラーの回動角とレーザ光の走査軌跡との関係を示した図（速度優先モード）
【図７】実施形態２における振動ミラーの回動角とレーザ光の走査軌跡との関係を示した図（画質優先モード）
【図８】実施形態３における光学系２１の配置姿勢と弓状の歪みとの関係を示す模式図
【図９】振動ミラーの回動角とレーザ光の走査軌跡との関係を示した図（画質優先モード）
【図１０】変形例の振動ミラーの回動角とレーザ光の走査軌跡との関係を示した図（画質優先モード）
【図１１】従来の光走査装置における振動ミラーの回動角とレーザ光の走査軌跡との関係を示した図
【符号の説明】
【００４９】
１...レーザプリンタ（印刷装置）
３...用紙（印刷媒体の一例）
５...印刷部
１６...スキャナ部（光走査装置）
１９...振動ミラー
２１...光学系
２７...感光ドラム（感光体）
６７...レーザ制御部（制御手段）
７０...光源部（第１出射手段）
７１...光源部（第２出射手段）
Ｌ１...第１レーザ光（第１光ビーム）
Ｌ２...第２レーザ光（第２光ビーム）
Ｏ...中央位置
【図１】
0004683016.tif 000002
【図２】
0004683016.tif 000003
【図３】
0004683016.tif 000004
【図４】
0004683016.tif 000005
【図５】
0004683016.tif 000006
【図６】
0004683016.tif 000007
【図７】
0004683016.tif 000008
【図８】
0004683016.tif 000009
【図９】
0004683016.tif 000010
【図１０】
0004683016.tif 000011
【図１１】
0004683016.tif 000012